(57)【要約】 【課題】  部材同士を位置ずれすることなく組み付けることができるロック構造および本体部に対しカバーを位置ずれすることなく組み付けることができる電気接続箱を提供する。【解決手段】  ロック片４０が、カバー３０の側壁部３２の下端縁（枠体２１との組み付け方向前方の端縁）から切り込まれた一対のスリット４１間に形成される切り込み片であって、ケース２０の枠体２１においてスリット４１に対応する位置には、このスリット４１に進入することで、カバー３０とケース２０との位置合わせを行なう誘導リブ５５が設けられている。これにより、スリット４１と誘導リブ５５とによって組み付け時の位置決めが図られるから、ケース２０及びカバー３０を位置ずれすることなく組み付けることができる。【選択図】  図５
2006275084.tif 000002
【特許請求の範囲】
【請求項１】
互いに係合する一対の係合部材のうち一方の係合部材に設けられたロック突起と、
他方の係合部材に設けられて、前記一対の係合部材の組み付け途中で撓み変形して前記ロック突起に乗り上げ、前記一対の係合部材が正規の組み付け状態となったときに弾性復元して前記ロック突起に係止するロック片とを備えたロック構造であって、
前記ロック片が、前記他方の係合部材において前記一方の係合部材との組み付け方向前方の端縁から切り込まれた一対のスリット間に形成される切り込み片であって、
前記一方の係合部材において前記スリットに対応する位置にはこのスリットに進入することで前記一対の係合部材の位置合わせを行なう誘導リブが設けられていることを特徴とするロック構造。
【請求項２】
前記誘導リブにおいて前記スリットに対する進入方向の先端部が、先端に向けて幅が狭くなるテーパ部とされていることを特徴とする請求項１に記載のロック構造。
【請求項３】
配電基板を収容するケース部と、このケース部の開口部を覆うカバー部とを備えるとともに、
前記ケース部および前記カバー部のうち一方の部材に設けられたロック突起と、
前記ケース部および前記カバー部のうち他方の部材に設けられて、前記ケース部とカバー部との組み付け途中で撓み変形して前記ロック突起に乗り上げ、前記ケース部とカバー部とが正規の組み付け状態となったときに弾性復元して前記ロック突起に係止するロック片とを備えた電気接続箱であって、
前記ロック片が、前記他方の部材において前記一方の部材との組み付け方向前方の端縁から切り込まれた一対のスリット間に形成される切り込み片であって、
前記一方の部材において前記スリットに対応する位置にはこのスリットに進入することで前記ケース部と前記カバー部との位置合わせを行なう誘導リブが設けられていることを特徴とする電気接続箱。
【発明の詳細な説明】
【技術分野】
【０００１】
本発明は、ロック構造および電気接続箱に関する。
【背景技術】
【０００２】
一方の部材に設けられたロック片が、撓み変形しながら他方の部材に設けられたロック突起に乗り上げた後、弾性復帰してこのロック突起に係止するロック構造を備えた電気接続箱として、特許文献１に記載のものが知られている。この電気接続箱は、電気部品を装備する本体部をアッパーカバーとロアカバーとでカバーする構成とされ、アッパーカバーおよびロアカバーにはそれぞれ複数のロック片が、一方本体部にはこのロック片に対応する位置毎にロック突起が設けられている。そして、カバーの取り付けに伴ってロック片がロック突起に乗り上げつつ弾性変形した後、復帰してロック突起に係止されるようになっている。
【特許文献１】特開２００３−１５３４１４公報
【発明の開示】
【発明が解決しようとする課題】
【０００３】
ところで、カバーおよび本体部はともに合成樹脂製とされている。このため、成形時の寸法誤差などにより、カバーと本体部との間にわずかな隙間が生じる等、成形品の仕上がりにばらつきが生じることがある。すると、本体部にカバーを組み付ける際にカバーの位置がずれやすく、そのまま位置がずれた状態でカバーを組み付けてしまうことがある。
【０００４】
本発明は上記のような事情に基づいて完成されたものであって、部材同士を位置ずれすることなく組み付けることができるロック構造および本体部に対しカバーを位置ずれすることなく組み付けることができる電気接続箱を提供することを目的とする。
【課題を解決するための手段】
【０００５】
上記の目的を達成するための手段として、請求項１の発明は、互いに係合する一対の係合部材のうち一方の係合部材に設けられたロック突起と、他方の係合部材に設けられて、前記一対の係合部材の組み付け途中で撓み変形して前記ロック突起に乗り上げ、前記一対の係合部材が正規の組み付け状態となったときに弾性復元して前記ロック突起に係止するロック片とを備えたロック構造であって、前記ロック片が、前記他方の係合部材において前記一方の係合部材との組み付け方向前方の端縁から切り込まれた一対のスリット間に形成される切り込み片であって、前記一方の係合部材において前記スリットに対応する位置にはこのスリットに進入することで前記一対の係合部材の位置合わせを行なう誘導リブが設けられているところに特徴を有する。
【０００６】
請求項２の発明は、請求項１に記載のものにおいて、前記誘導リブにおいて前記スリットに対する進入方向の先端部が、先端に向けて幅が狭くなるテーパ部とされているところに特徴を有する。
【０００７】
請求項３の発明は、配電基板を収容するケース部と、このケース部の開口部を覆うカバー部とを備えるとともに、前記ケース部および前記カバー部のうち一方の部材に設けられたロック突起と、前記ケース部および前記カバー部のうち他方の部材に設けられて、前記ケース部とカバー部との組み付け途中で撓み変形して前記ロック突起に乗り上げ、前記ケース部とカバー部とが正規の組み付け状態となったときに弾性復元して前記ロック突起に係止するロック片とを備えた電気接続箱であって、前記ロック片が、前記他方の部材において前記一方の部材との組み付け方向前方の端縁から切り込まれた一対のスリット間に形成される切り込み片であって、前記一方の部材において前記スリットに対応する位置にはこのスリットに進入することで前記ケース部と前記カバー部との位置合わせを行なう誘導リブが設けられているところに特徴を有する。
【発明の効果】
【０００８】
＜請求項１および請求項３の発明＞
請求項１および請求項３の発明によれば、ロック片が、他方の係合部材において一方の係合部材との組み付け方向前方の端縁から切り込まれた一対のスリット間に形成される切り込み片であって、一方の係合部材においてスリットに対応する位置にはこのスリットに進入することで一対の係合部材の位置合わせを行なう誘導リブが設けられている。このような構成によれば、切り込み部とこの切り込み部に進入する誘導リブによって組み付け時の位置決めが図られるから、一対の係合部材（ケース部及びカバー部）を位置ずれすることなく組み付けることができる。特に、撓み変形可能な切り込み片（ロック片）を形成するためのスリットを利用して位置決め構造が作られているから、全体の構造を複雑化することなく位置決めを図ることができる。
【０００９】
＜請求項２の発明＞
請求項２の発明によれば、誘導リブにおいてスリットに対する進入方向の先端部が、先端に向けて幅が狭くなるテーパ部とされている。このような構成によれば、組み付け初期においてスリットに対する誘導リブの位置が多少ずれたとしても、先端のテーパ部にスリットの開口縁が摺接されることで、誘導リブがスリットに誘い込まれ、円滑に進入するとともに、誘導リブのスリットに対する位置の矯正が行なわれる。これにより、両係合部材の組み付けが円滑に行なわれる。
【発明を実施するための最良の形態】
【００１０】
以下、本発明の実施形態を図１〜図５によって説明する。
図１には、本実施形態の電気接続箱１の外観斜視図を、図２には、本実施形態における電気接続箱１の分解斜視図を示した。
以下、各構成部材において、図２の上側を上面、下側を下面、左下側を前方、右上側を後方とし、また右下側を右方、左上側を左方として説明する。
【００１１】
本実施形態の電気接続箱１は、配電基板１０と、この配電基板１０を収容するケース２０（本発明のケース部に該当する）と、ケース２０の開口部を覆うカバー３０（本発明のカバー部に該当する）とを備えている。
【００１２】
配電基板１０は、表裏両面に所定のパターンで導電路（図示せず）が形成された回路基板１１の下面に、電力回路となる所定の導電路を形成するバスバー基板１２を貼り付けたものである。回路基板１１は長方形における左前端側の角を落としたような外形形状をなしている。また、バスバー基板１２はこの回路基板１１とほぼ整合した外形形状とされ、その後縁からは複数本のバスバー１２Ａが突設されている。なお、この配電基板１０にはリレー等の電子部品１３が実装されている。
【００１３】
また、配電基板１０の前端側にはＰＣＢコネクタ１４が組み付けられている。このＰＣＢコネクタ１４は、横長で前面に開口した合成樹脂製のハウジング１５を備えている。
【００１４】
配電基板１０を収容するケース２０は、配電基板１０を包囲する形状をなす枠体２１と、枠体２１の下側に装着されている放熱板２２とを備えている。そして、ＰＣＢコネクタ１４が搭載された配電基板１０は、この枠体２１に対し上方から組み付けられている。
【００１５】
枠体２１は合成樹脂等の絶縁材料からなり、配電基板１０を内側にほぼ緊密に嵌めることができる形状の下枠部２３を備えている。この下枠部２３の上下方向中央位置には、その外周面に沿ってフランジ２４が外方向に張り出し形成されている。また、下枠部２３において配電基板１０の左右両端縁に沿う左右下枠部２３Ｌ、２３Ｒの上面からは、その内縁に沿って側壁２５が立ち上げられている。この側壁２５は、下枠部２３の壁厚に比べてほぼ半分の厚みをなし、下枠部２３の上面において側壁２５より外側の面は、側壁２５に対し略直角をなす段差面２３Ａとなっている。また、左右両側壁２５の外側面にはロック突起５０が設けられ、このロック突起５０は後述するカバー３０のロック片４０とともにロック構造を構成している。このロック構造については後ほど詳しく説明する。
【００１６】
枠体２１の下側に装着されている放熱板２２は、熱伝導率の高いアルミニウムなどの金属板により、枠体２１の外形とほぼ同じ形状に形成されている。この放熱板２２は枠体２１に対しその下面側の開口を塞ぐように組み付けられているとともに、バスバー基板１２の下面に絶縁性の接着剤を介して貼付されている。なお、放熱板２２の後縁からは、取付片２６が斜め下方に逃げた姿勢で形成されている。
【００１７】
そして、ケース２０の上側には、このケース２０の上側の開口を覆うようにしてカバー３０が組み付けられている。図３には、カバー３０を下方から視た斜視図を示した。このカバー３０は合成樹脂製であって、全体として配電基板１０とほぼ同じ形状をなすとともに配電基板１０の上面側を覆う板状の蓋板部３１と、この蓋板部３１の左右両端縁に沿って垂下された側壁部３２とを備え、全体として下面側に開口する浅皿状に形成されている。左右両側壁部３２は、枠体２１の側壁２５を外方から覆うとともに、カバー３０が枠体２１に正規に組み付けられた状態では、側壁部３２の下端面が下枠部２３の段差面２３Ａに突き当たるようにされている（図１を併せて参照）。また、この左右両側壁部３２には、先ほど述べた枠体２１のロック突起５０とともにロック構造を構成するロック片４０が設けられている。そして、カバー３０の下面には、樹脂成形時における「ひけ」や「そり」を防止するためのリブ３３が全体として格子状に配されている。なお、カバー３０の蓋板部３１において前端側には、ＰＣＢコネクタ１４の後面側を覆う高位部３４が形成され、一方カバー３０の後端側には後述のヒューズボックス３５の一部を嵌めて逃がす嵌装凹部３６が設けられている。また、カバー３０の後端側の左右両端部には図示しないねじをねじ込むための装着凹部３７が設けられており、カバー３０はこの装着凹部３７において上面側から枠体２１にねじ止めされることで枠体２１に固定されている。
【００１８】
回路基板１１の後端縁に沿って配置されているヒューズボックス３５は合成樹脂製であって、ケース２０およびカバー３０の後側を全長にわたって覆うとともに、その上側部分がカバー３０よりも上側方向に突出する横長形状に形成されている。そして、このヒューズボックス３５の内部にはバスバー１２Ａが前方から挿入されている。
【００１９】
このヒューズボックス３５においてカバー３０よりも上側に突出する部分には、前方からコネクタ３８が組み付けられている。このコネクタ３８は、ヒューズボックス３５の長手方向に沿って延びる横長形状をなしている。
【００２０】
さて、前述したロック構造について詳しく説明する。このロック構造は、ケース２０の枠体２１に設けられたロック突起５０とカバー３０に設けられたロック片４０とで構成される。図４には、ロック片４０とロック突起５０とが互いに係止した状態を表す部分拡大断面図を示した。このロック構造は、ロック片４０が、ケース２０とカバー３０との組み付けの途中においては撓み変形してロック突起５０に乗り上げ、ケース２０とカバー３０とが正規の組み付け状態となったときに弾性復元してロック突起５０に係止するものである。
【００２１】
まず、カバー３０に設けられたロック片４０について説明する。ロック片４０はカバー３０の左右側壁部３２において、高位部３４の下方に対応する位置に左右１箇所ずつ、またこれら高位部３４の下方に設けられたロック片４０より後方位置に左右１箇所ずつの計４箇所に配されている（図３を併せて参照）。このロック片４０は、側壁部３２の下端から切り込まれた一対のスリット４１間に形成された切り込み片であって、外方に弾性変形可能とされている。
【００２２】
このスリット４１は、それぞれカバー３０の側壁部３２の下端縁（枠体２１との組み付け方向前方の端縁）から上方に向けて細長く切り込まれたものであり、その切り込み高さは、側壁部３２のうち高位部３４の下方に対応する部分を除く部分の上下方向高さのほぼ半分とされている。また、スリット４１の下端は後述する誘導リブ５５が進入可能な開放端４１Ａとされ、この開放端４１Ａから上側に向かって立ち上げられている一対の面は互いに平行な誘導面４２とされている。なお、スリット４１の上端縁は、外方から見て上側に凹む略半円弧状をなしている。
【００２３】
ロック片４０の内側面には、外側方向に凹むとともに上下方向に開口する溝状の凹み部４３が形成されている。これにより、ロック片４０の前後方向中間部は、側壁部３２の他の領域と比べて半分以下の壁厚とされた薄壁部４４とされており、側壁部３２における他の部分に比べ剛性が低くなっている。カバー３０の蓋板部３１においてこの凹み部４３の上端に対応する部分には、透孔４５が形成されている。この透孔４５は蓋板部３１の板厚方向に貫通するように開口され、この透孔４５の周縁において薄壁部４４側の辺を除く３辺をリブ３３Ａによって囲まれている。また、凹み部４３の下端部には、その下縁に沿って内側に突出する爪部４６が形成されている。この爪部４６は、凹み部４３の下縁に沿う方向の幅よりやや幅狭とされている。そして、この爪部４６の下面は内方に向かって上る乗り上げ斜面４７とされ、一方、爪部４６の上面は、凹み部４３の内側面と略直角をなす係止面４８とされている。
【００２４】
次に、ケース２０の枠体２１に設けられたロック突起５０について説明する。ロック突起５０は、枠体２１の左右両側壁２５においてカバー３０のロック片４０に対応する位置に設けられており、左右両側壁２５にそれぞれ２箇所ずつ、計４箇所に配されている。各ロック突起５０は、側壁２５の外側面において上下方向中央位置に配されているとともに、この外側面から外方に向けて突出形成されている。そして、ロック突起５０の上面は外方へ向かって下る案内斜面５１とされ、一方ロック突起５０の下面は側壁２５の外側面と略直角をなすとともに下枠部２３の段差面２３Ａと対向する戻り止め面５２とされている。この戻り止め面５２と下枠部２３の段差面２３Ａ間の上下方向の間隔は、カバー３０の側壁部３２に形成されたロック片４０の爪部４６の上下方向の高さとほぼ同じとされ、ロック突起５０の下面である戻り止め面５２と、爪部４６の上面である係止面４８とが当接するようにされている。また、ロック突起５０の外側面は、枠体２１の側壁２５の外側面と略平行をなす頂面５３とされ、この頂面５３は下枠部２３の外側面よりもやや内方に位置している。そして、ロック突起５０の前後両端面５４は、外側方向に向けて互いが近づく向きの傾斜をなしており、ロック突起５０は側壁２５の外側面との接続部分から頂面５３に向かって幅が狭くなるようにされている（図５を併せて参照）。
【００２５】
このロック突起５０の前方および後方位置には一対の誘導リブ５５が設けられている。この一対の誘導リブ５５は、カバー３０に形成された一対のスリット４１と対応する位置に配され、それぞれスリット４１に嵌合可能な細長い形状をなしている。各誘導リブ５５は、下枠部２３の段差面２３Ａから側壁２５の外側面に沿って上方に立上げられるように形成され、その上端は誘導リブ５５間に設けられているロック突起５０の上縁よりもやや下方に位置している。また、誘導リブ５５の外側面は下枠部２３の外側面とほぼ面一とされている。そして、カバー３０が枠体２１に組み付けられ、スリット４１に誘導リブ５５が進入すると、誘導リブ５５の外側面は、カバー３０の側壁部３２の外側面よりも内側に位置するようになっている。この誘導リブ５５は、下端（下枠部２３の段差面２３Ａとの接続位置）から上下方向中央位置、（ロック突起５０の戻り止め面５２とほぼ同じ高さ）までの部分は、その前後方向の幅がカバー３０に形成されているスリット４１の幅とほぼ同じ大きさをなす平行部５６とされ、それよりも上部（スリット４１に対する進入方向の先端部）は、先端に向けて前後方向幅がほぼ半減するテーパ部５７とされている。
【００２６】
次に、上記のように構成された本実施形態の作用および効果について説明する。図５（Ａ）には、カバー３０がケース２０に組み付けられる前の状態を外方から見た部分拡大図を、（Ｂ）には、カバー３０がケース２０に組み付けられた状態を外方から見た部分拡大図を示した。
【００２７】
ケース２０の上側にカバー３０を組み付けるには、まずカバー３０の側壁部３２の内側にケース２０の側壁２５が嵌まるようにしつつ、カバー３０のスリット４１とケース２０の誘導リブ５５とが整合するように、カバー３０をケース２０に対し位置合わせする。そして、カバー３０を下方へ押し込むと、誘導リブ５５の先端部が、スリット４１の開放端４１Ａからスリット４１内へ進入していく。ここで、誘導リブ５５の先端部は先端に向けて前後方向幅がほぼ半減するテーパ部５７とされており、その先端の前後方向幅はスリット４１の入口である開放端４１Ａの開口幅に比べほぼ半分の大きさとされているから、誘導リブ５５の先端幅に対し開放端４１Ａの開口幅に余裕があり、誘導リブ５５がスリット４１に進入しやすくなっている。また、組み付け初期にスリット４１に対して誘導リブ５５の位置が多少ずれ、誘導リブ５５の先端部がスリット４１の開放端４１Ａの隅の方から進入したとしても、開放端４１Ａの角にテーパ部５７があたって摺り合わされ、誘導リブ５５はスリット４１に対し位置を矯正されながら誘い込まれていく。このように、誘導リブ５５は、その先端部がスリット４１に円滑に進入するとともに、その位置が多少ずれた状態であっても進入に伴って正しい位置に矯正されるようになっているから、カバー３０の組み付けを円滑に行うことができる。
【００２８】
さらにカバー３０を下方へ押し込むと、カバー３０のロック片４０に形成された爪部４６の乗り上げ斜面４７が枠体２１のロック突起５０の案内斜面５１に案内されつつこの爪部４６がロック突起５０に乗り上げることでロック片４０が外側に撓む。そして、ロック片４０の下端がロック突起５０の戻り止め面５２とほぼ同じ位置に至ると、スリット４１の開放端４１Ａは誘導リブ５５のテーパ部５７を過ぎて平行部５６に達する。そして、平行部５６の前後面をスリット４１の誘導面４２に摺接させつつ、カバー３０はケース２０に対し位置ずれすることなくさらに下方に押し込まれていく。このとき、誘導リブ５５がスリット４１に進入する様子を外から目視できるから、進入の確認が容易である。
【００２９】
そして、カバー３０がさらに押し込まれてロック片４０がロック突起５０を乗り越えると、図５（Ｂ）に示すように、誘導リブ５５全体がスリット４１に完全に収容された状態になるとともに、カバー３０の側壁部３２の下端が下枠部２３の段差面２３Ａに突き当たって正規の組み付け状態になる。このとき、ロック片４０は自身の弾性力により元の姿勢に復帰し、図４に示すように、ロック片４０の係止面４８にロック突起５０の戻り止め面５２が係止される。こうして、カバー３０は枠体２１に対し位置ずれすることなく組み付けられ、枠体２１の開口部分を閉止した状態で抜止め状態に保持される。このように、誘導リブ５５とスリット４１とによってカバー３０とケース２０との位置決めが図られているから、例えば成形時の寸法誤差によってカバー３０およびケース２０の寸法にばらつきが生じていたとしても、カバー３０がケース２０に対し位置ずれすることなく組み付けられる。しかも、ロック片４０を形成するために設けられたスリット４１に誘導リブ５５を進入させることによって位置決めを図る構造とされているから、位置決め構造としては新たに誘導リブ５５を形成するだけでよく、全体の構造が複雑化しない。また、カバー３０の組み付け後は、誘導リブ５５がカバー３０の外方に突出しないので、ワイヤーハーネス等、他の部材に干渉することがない。
【００３０】
この後、カバー３０は、後端部の装着凹部３７にねじを取り付けることにより枠体２１にねじ止めされる。ここで、カバー３０は枠体２１に対し位置ずれすることなく組み付けられているから、ねじ止め孔の芯がずれることがなく、ねじが斜めに挿入されるなどの不良が生じない。
【００３１】
以上説明したように本実施形態によれば、ロック片４０が、カバー３０の側壁部３２の下端縁から切り込まれた一対のスリット４１間に形成される切り込み片であって、ケース２０の枠体２１においてスリット４１に対応する位置には、このスリット４１に進入することで、カバー３０とケース２０との位置合わせを行なう誘導リブ５５が設けられている。これにより、スリット４１とこのスリット４１に進入する誘導リブ５５によって組み付け時の位置決めが図られるから、ケース２０及びカバー３０を位置ずれすることなく組み付けることができる。特に、撓み変形可能なロック片４０を形成するためのスリット４１を利用して位置決め構造が作られているから、全体の構造を複雑化することなく位置決めを図ることができる。
【００３２】
また、誘導リブ５５においてスリット４１に対する進入方向の先端部が、先端に向けて幅が狭くなるテーパ部５７とされている。これにより、組み付け初期においてスリット４１に対する誘導リブ５５の位置が多少ずれたとしても、先端のテーパ部５７にスリット４１の開放端４１Ａが摺接されることで、誘導リブ５５がスリット４１に誘い込まれ、円滑に進入するとともに、誘導リブ５５のスリット４１に対する位置の矯正が行なわれる。したがって、カバー３０とおよびケース２０の組み付けが円滑に行なわれる。特に本実施形態では、誘導リブ５５が枠体２１の外側面に形成されているので、誘導リブ５５を視認しやすく、カバー３０の組み付け時にスリット４１を誘導リブ５５に嵌入しやすい。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３４】
（１）本実施形態では、電気接続箱１においてカバー３０をケース２０の枠体２１に組み付ける場合のロック構造について示したが、これに限らず、本発明に係るロック構造は一対の係合する部材であれば広く適用可能とされ、例えば複数の端子金具を収容するコネクタに相手側コネクタを組み付ける場合のロック構造にも適用できる。
【００３５】
（２）本実施形態では、ケース２０の枠体２１にロック突起５０および誘導リブ５５が、一方カバー２０の側壁部３２にロック片４０およびスリット４１が設けられているが、これに限らず、例えばケースにロック片およびスリットが、カバーにロック突起および誘導リブが設けられていてもよい。
【００３６】
（３）本実施形態では、ロック突起５０の戻り止め面５２とロック片４０に設けられた爪部４６の係止面４８とが当接することにより係止する構造とされているが、これに限らず、例えばロック片に設けられた係止孔がロック突起に係止する構造とされていてもよい。
【図面の簡単な説明】
【００３７】
【図１】本実施形態における電気接続箱の外観斜視図
【図２】本実施形態における電気接続箱の分解斜視図
【図３】カバーを下方から視た斜視図
【図４】ロック片とロック突起とが互いに係止した状態を表す部分拡大断面図
【図５】（Ａ）カバーがケースに組み付けられる前の状態を外方から見た部分拡大図（Ｂ）カバーがケースに組み付けられた状態を外方から見た部分拡大図
【符号の説明】
【００３８】
１…電気接続箱
１０…配電基板
２０…ケース（ケース部、係合部材）
３０…カバー（カバー部、係合部材）
４０…ロック片
４１…スリット
５０…ロック突起
５５…誘導リブ
５７…テーパ部
【図１】
2006275084.tif 000003
【図２】
2006275084.tif 000004
【図３】
2006275084.tif 000005
【図４】
2006275084.tif 000006
【図５】
2006275084.tif 000007